(57)【要約】【課題】創傷治癒を効果的に促進し、さらなる感染を避けるために微生物の量を減少させる装置を提供する。【解決手段】側壁に凹部１６０を有するハウジング１４０と、空気圧貯蔵部１３０と、圧縮部１１０とを備えた減圧装置。空気圧貯蔵部１３０は、ハウジング１４０内に設けられ、蓄圧容器と、ピストン組立体と、ピストンスプリングとを備え、圧縮部１１０は、ピストン組立体の上に取り付けられる。圧縮部１１０は、押圧子２１０と回転盤２２０とをさらに含む。押圧子２１０は、ハウジング１４０の凹部１６０に収納可能であり、かつ、回転盤２２０によって空気圧貯蔵部１３０およびハウジング１４０に対して回転可能である。また、ピストン組立体を押し下げて蓄圧容器の内部に負圧を発生させるために、押圧子２１０が凹部１６０から引き抜かれて所定の位置へ回転されたとき、押圧子２１０は、使用後に再び凹部１６０に収納されるように元の位置へ回転させることができる。【選択図】図１Ｃ
0003216282.tif 000002
【実用新案登録請求の範囲】
【請求項１】
創傷治療用の減圧装置であって、
側壁に凹部を有するハウジングと、
前記ハウジング内に設けられた空気圧貯蔵部であって、蓄圧容器と、該蓄圧容器内に摺動自在に設けられたピストン組立体と、前記蓄圧容器の基部と前記ピストン組立体との間に設けられたピストンスプリングと、を備える空気圧貯蔵部と、
押圧子と回転盤とを含み、前記空気圧貯蔵部の前記ピストン組立体の上に取り付けられた圧縮部と、を備え、
負圧を発生させるために、前記押圧子は、前記凹部から引き抜かれて所定の位置へ回転され、前記ピストン組立体を押し下げて前記蓄圧容器の内部に負圧を発生させるとともに、前記押圧子は、再び引き上げられて元の位置へ戻るように回転され、前記凹部に収納されるようになっている、減圧装置。
【請求項２】
前記圧縮部は、摺動子をさらに備え、該摺動子は、前記押圧子と前記回転盤とに接続されて前記押圧子と前記回転盤との間の動きを安定させ、同時に前記回転盤を回転させる、請求項１に記載の減圧装置。
【請求項３】
前記押圧子は、一対のプッシュロッドと、該一対のプッシュロッドを接続する押圧部とをさらに備え、
各々の前記プッシュロッドは、第１係合部と第２係合部とをさらに備え、
前記摺動子は、蓋部および伸長軸を含み、
前記蓋部は、各々の前記プッシュロッドの前記第１係合部に係合する一対の第１位置決め部を有し、
前記回転盤は、各々の前記プッシュロッドの前記第２係合部に係合する一対の第２位置決め部を含み、
前記押圧子は、各々の前記プッシュロッドの前記第１係合部が前記摺動子の前記第１位置決め部に係合されたときに、前記摺動子を同時に引くことが可能であり、
前記押圧子は、各々の前記プッシュロッドの前記第２係合部が前記回転盤の前記第２位置決め部にそれぞれ連結されたときに、前記減圧装置から引き抜かれるのを防止可能である、請求項２に記載の減圧装置。
【請求項４】
前記ピストン組立体は、ピストンカバーとピストンとをさらに備え、
前記ピストンカバーは、前記押圧子の前記プッシュロッドのための一対のプッシュロッド開口部を有し、
前記押圧子の前記プッシュロッドは、前記押圧子が前記所定の位置に配置されたときに、前記ピストン組立体の前記ピストンを押すために前記プッシュロッド開口部を通過可能である、請求項３に記載の減圧装置。
【請求項５】
前記空気圧貯蔵部は、前記蓄圧容器を封止するための封止子をさらに備える、請求項４に記載の減圧装置。
【請求項６】
前記封止子は、負圧創傷被覆材の接続管を接続するための逆止弁をさらに備える、請求項５に記載の減圧装置。
【請求項７】
前記封止子は、前記空気圧貯蔵部内の負圧状態を示す作動表示器をさらに備える、請求項６に記載の減圧装置。
【請求項８】
前記蓄圧容器と前記ピストン組立体に係合された圧力計モジュールをさらに備える、請求項４に記載の減圧装置。
【請求項９】
前記ピストンカバーは、前記圧力計モジュールを露呈させる透明窓をさらに備える、請求項８に記載の減圧装置。
【考案の詳細な説明】
【技術分野】
【０００１】
本願は、２０１７年３月９日に出願され、参照により本明細書に組み込まれる台湾出願第１０６２０３３４９号の優先権を主張する。
【０００２】
本開示は、負圧創傷被覆材に減圧を提供するための減圧装置に関する。特に、本開示は、負圧を手動で発生させるのに適した減圧装置に関する。
【背景技術】
【０００３】
近年、医療技術の進歩に伴い、医師はしばしば患者の手術を行う必要がある。手術の手順は、まず、表皮および関連する組織への有意な切開をもたらし、次いで、切開部はＵ字形の針、縫合糸または接着剤で閉じられる。皮膚が創傷を有する場合、それが外科手術または事故に起因するかどうかにかかわらず、通常の創傷治癒プロセスは、一般に、炎症段階と増殖段階と再構成段階の三段階に分けることができるが、これらの段階はしばしば重複して相互に作用する。
【０００４】
炎症段階は、通常は創傷形成の０日から３日後に現れ、血管の破れにより赤血球および血液が組織に浸出し、炎症の腫脹および痛みが現れる。増殖段階は、通常は創傷形成の３日から１２日後に現れ、創傷は主に肉芽組織および上皮細胞を形成する。さらに、再構成段階は、通常は創傷形成の６月から１２月後に現れる。線維芽細胞は、着実な遊走をもたらしコラーゲン基質を合成するための酸素供給の提供を、微小血管に依存している。コラーゲン線維の成熟度および引張強さは、創傷形成の２週間から３週間後で最大に達する。コラーゲン線維の成熟により、コラーゲン線維は徐々に瘢痕組織になり、上皮細胞は徐々に成熟して基底膜と結合する。その後、組織の治癒が徐々に形成される。
【考案の概要】
【考案が解決しようとする課題】
【０００５】
創傷の閉鎖および治癒の間に創傷が汚れや細菌または他の微生物にさらされる場合、創傷の治癒期間が長引き、創傷がさらに悪化する。医師および患者の共通の要求は、創傷治癒を効果的に促進し、さらなる感染を回避するために微生物量を減少させる装置を提供することである。
【０００６】
前述のとおり、本開示は、使用者が創傷治療のために負圧創傷被覆材の負圧を維持し、それにより創傷の治癒を促進するための減圧装置を提供する。
【課題を解決するための手段】
【０００７】
本開示は、創傷治療用の減圧装置であって、側壁に凹部を有するハウジングと、前記ハウジング内に設けられた空気圧貯蔵部であって、蓄圧容器と、該蓄圧容器内に摺動自在に設けられたピストン組立体と、前記蓄圧容器の基部と前記ピストン組立体との間に設けられたピストンスプリングと、を備える空気圧貯蔵部と、押圧子と回転盤とを含み、前記空気圧貯蔵部の前記ピストン組立体の上に取り付けられた圧縮部と、を備え、負圧を発生させるために、前記押圧子は、前記凹部から引き抜かれて所定の位置へ回転され、前記ピストン組立体を押し下げて前記蓄圧容器の内部に負圧を発生させるとともに、前記押圧子は、再び引き上げられて元の位置へ戻るように回転され、前記凹部に収納されるようになっている、減圧装置を提供する。
【０００８】
本開示の好ましい実施形態に係る減圧装置において、前記圧縮部は、摺動子をさらに備え、該摺動子は、前記押圧子と前記回転盤とに接続されて前記押圧子と前記回転盤との間の動きを安定させ、同時に前記回転盤を回転させる。
【０００９】
本開示の別の好ましい実施形態に係る減圧装置において、前記押圧子は、一対のプッシュロッドと、該一対のプッシュロッドを接続する押圧部とをさらに備え、各々の前記プッシュロッドは、第１係合部と第２係合部とをさらに備え、前記摺動子は、蓋部および伸長軸を含み、前記蓋部は、各々の前記プッシュロッドの前記第１係合部に係合する一対の第１位置決め部を有し、前記回転盤は、各々の前記プッシュロッドの前記第２係合部に係合する一対の第２位置決め部を含む。前記押圧子は、各々の前記プッシュロッドの前記第１係合部が前記摺動子の前記第１位置決め部に係合されたときに、前記摺動子を同時に引くことが可能であり、前記押圧子は、各々の前記プッシュロッドの前記第２係合部が前記回転盤の前記第２位置決め部にそれぞれ連結されたときに、前記減圧装置から引き抜かれるのを防止可能である。
【００１０】
本開示の別の好ましい実施形態に係る減圧装置において、前記ピストン組立体は、ピストンカバーとピストンとをさらに備え、前記ピストンカバーは、前記押圧子の前記プッシュロッドのための一対のプッシュロッド開口部を有する。前記押圧子の前記プッシュロッドは、前記押圧子が前記所定の位置に配置されたときに、前記ピストン組立体の前記ピストンを押すために前記プッシュロッド開口部を通過可能である。
【００１１】
本開示の別の好ましい実施形態に係る減圧装置において、前記空気圧貯蔵部は、前記蓄圧容器を封止するための封止子をさらに備える。
【００１２】
本開示の別の好ましい実施形態に係る減圧装置において、封止子は、負圧創傷被覆材の接続管を接続するための逆止弁をさらに備える。
【００１３】
本開示の別の好ましい実施形態に係る減圧装置において、封止子は、前記空気圧貯蔵部内の負圧状態を示す作動表示器をさらに備える。
【００１４】
本開示の別の好ましい実施形態に係る減圧装置において、前記減圧装置は、前記蓄圧容器と前記ピストン組立体に係合された圧力計モジュールをさらに備える。
【００１５】
本開示の別の好ましい実施形態に係る減圧装置において、前記ピストンカバーは、前記圧力計モジュールを露呈させる透明窓をさらに備える。
【００１６】
上記減圧装置の押圧子は、ハウジングの凹部に収納されており、負圧を発生させるために空気圧貯蔵部を排気する必要がある場合にのみ、押圧子は、引き抜かれ、所定の位置へ回転されてピストンカバーの開口部に押し込まれ、その後、凹部内に収納されるように戻される。上記圧縮部は、摩耗されるのを効果的に防止することができ、減圧装置の美観を得ることができる。加えて、上記作動表示器は、使用者が現在の減圧装置の作動状態を触覚的に容易に認知することを可能にする。上記圧力計モジュールは、使用者が上記減圧装置の残りの作業性についてより多くを知ることを可能にする視覚情報を提供する。使用者はいつでも圧縮部を使用して、創傷を清潔に保ち、創傷治癒の有効性および速度を加速するために減圧状態を生成することができる。
【００１７】
上述した本開示の特徴を詳細に理解することができるように、前記の簡潔に要約した本開示のより具体的な説明は、実施形態を参照することによって行うことができ、そのいくつかは、添付の図面に示されている。しかしながら、添付の図面は、本開示の典型的な実施形態のみを例示しており、したがって、本開示が他の同等に有効な実施形態を認めることができるため、その範囲を限定するものとみなされるべきではないことに留意されたい。本開示の上記および他の態様および利点は、図面と併せて以下の本開示の詳細な説明から明らかになるであろう。
【図面の簡単な説明】
【００１８】
【図１Ａ】本開示の一実施形態に係る減圧装置の立体的な斜視図。
【図１Ｂ】圧縮部が引き上げられたときの減圧装置の立体的な斜視図。
【図１Ｃ】図１Ａの圧縮部が所定位置へ回転されたときの減圧装置の立体的な斜視図。
【図１Ｄ】図１Ａの空気圧貯蔵部を圧縮するために圧縮部が押し下げられたときの減圧装置の立体的な斜視図。
【図２Ａ】本開示の一実施形態に係る未起動の減圧装置の断面透視図。
【図２Ｂ】圧縮部が所定位置へ回転されて図２Ａの空気圧貯蔵部を圧縮するために押し下げられたときの減圧装置の断面透視図。
【図２Ｃ】図２Ａにおいて押圧子がハウジングの凹部に戻されて空気圧貯蔵部が起動されたときの減圧装置の断面透視図。
【図３】本開示の一実施形態に係る減圧装置の圧縮部の分解図。
【図４】本開示の一実施形態に係る減圧装置の空気圧貯蔵部の分解図。
【図５】本開示の一実施形態に係る減圧装置における圧縮部の回転盤と空気圧貯蔵部のピストン組立体の分解図。
【図６】本開示の一実施形態に係る減圧装置のハウジングの分解図。
【考案を実施するための形態】
【００１９】
次に、本減圧装置の実施形態を説明するための図面を参照する。本開示の以下の実施形態では、図面において、同様の要素に同様の符号を付す。以下では、上述した減圧装置の実施形態について説明する。本開示の実施形態をよりよく理解するために、その詳細な説明が提供される。しかしながら、周知の機能または構成は、簡潔さおよび／または明瞭さのために詳細に説明されない場合がある。図面は、必ずしも縮尺のとおりではなく、添付の請求の範囲に規定された本開示の範囲を限定および制限するものではなく、開示の原理を例示することに重点を置く。
【００２０】
本開示の利点および特徴は、添付の図面と併せて以下のより詳細な説明および請求の範囲を参照することにより、よりよく理解されるであろう。以下に記載される本開示の例示的な実施形態は、本明細書に開示される本考案の原理から逸脱することなく多くの異なる方法で変更されてもよく、したがって、本開示の範囲はこれらの特定の実施形態に限定されないことを理解されたい。むしろ、これらの実施形態は、本開示が詳細で完全なものとなるように提供され、制限のためではなく、例として当業者に本開示の概念を完全に伝える。図面において、層、膜、および領域の厚さは、明瞭さのために誇張されている。本開示は、添付の請求の範囲によってのみ規定される。
【００２１】
他に定義されない限り、本明細書で使用される全ての用語（技術用語および科学用語を含む）は、本開示が属する技術分野の当業者によって一般に理解されるのと同じ意味を有する。一般に使用される辞書に定義されているような用語は、明細書および関連する技術の文脈における意味と一致する意味を有するものとして解釈されるべきであり、本明細書で明示的に定義されていない限り、理想化されたまたは過度に形式的な意味で解釈されるべきではないことが、さらに理解されるであろう。
【００２２】
図１Ａから図１Ｄおよび図２Ａを参照すると、図１Ａは、本開示の一実施形態に係る減圧装置の斜視図である。図１Ｂは、圧縮部が引き上げられたときの減圧装置の斜視図である。図１Ｃは、圧縮部が所定の位置へ回転されたときの減圧装置の斜視図である。図１Ｄは、圧縮部を押し下げて空気圧貯蔵部を圧縮するときの減圧装置の斜視図である。図２Ａは、まだ操作されていない減圧装置の断面透視図である。本開示は、側壁に凹部１６０（図面には１つの凹部だけが示されている）を有するハウジング１４０と、このハウジング１４０内に設けられた空気圧貯蔵部１３０であって、蓄圧容器２６０と、蓄圧容器２６０内に設けられたピストン組立体２５０と、蓄圧容器２６０の基部とピストン組立体２５０との間に設置されたピストンスプリング２５６とを含む空気圧貯蔵部１３０と、押圧子２１０と回転盤２２０とを含み、空気圧貯蔵部１３０のピストン組立体２５０の上に取り付けられた圧縮部１１０と、を備える創傷治療用の減圧装置１００を提供する。押圧子２１０は、ハウジング１４０の凹部１６０内に収納可能であり、回転盤２２０によって空気圧貯蔵部１３０およびハウジング１４０に対して回転可能である。また、押圧子２１０は、押圧子２１０が凹部１６０から引き抜かれて所定の位置へ回転させられたときに、ピストン組立体２５０を圧縮して蓄圧容器２６０内に負圧を発生させる。押圧子２１０は、回転されて元の位置へ戻ることができ、使用後に再び凹部１６０に収納される。したがって、減圧装置１００が使用されていないとき、または負圧を発生した後に、圧縮部１１０の押圧子２１０は、ハウジング１４０から突出することなく、ハウジング１４０の凹部１６０内に収納することができる。本減圧装置は、容易に持ち運びおよび使用をされる。
【００２３】
図１Ｂおよび図１Ｃに示すように、減圧装置１００の圧縮部１１０は、使用時に引き上げられる。圧縮部１１０は、さらに、蓋部２２１および伸長軸２１７を含む摺動子２１８を備え、蓋部２２１が押圧子２１０に係合し、伸長軸２１７が回転盤２２０に係合して、押圧子２１０と回転盤２２０との間の動きを安定させ、同時に回転盤２２０を回転させる。
【００２４】
図１Ｂから図１Ｄおよび図２Ａに示すように、圧縮部１１０の押圧子２１０が引き上げられて所定の位置、図示の例に限定はされないが、たとえば図に示す空気圧貯蔵部１３０およびハウジング１４０に対して９０度の位置へ回転され、圧縮部１１０および摺動子２１８を下方へ押し込み、同時にピストン組立体２５０を下方へ圧縮して、空気圧貯蔵部１３０内に負圧を提供する。
【００２５】
図３から図６を参照して、減圧装置１００の各部の構成についてより詳細に説明する。図３は、減圧装置１００の圧縮部１１０の分解図である。図４は、減圧装置１００の空気圧貯蔵部１３０の分解図である。図５は、減圧装置１００における空気圧貯蔵部１３０の圧縮部１１０とピストン組立体２５０の回転盤２２０の分解図である。図６は、減圧装置１００のハウジング１４０の分解図である。
【００２６】
図３に示すように、押圧子２１０は、一対のプッシュロッド２１２と、これらのプッシュロッドを接続する押圧部２１６とをさらに含む。押圧部２１６は、使用者が押圧子２１０を引くことまたは押すことを容易にし、プッシュロッド２１２は、ピストン組立体２５０を圧縮するために使用される。
【００２７】
摺動子２１８の伸長軸２１７は、回転盤２２０の位置決め開口部２２２に挿入するために使用される。伸長軸２１７は、非円形の断面、たとえば、これらに限定されないが、正方形、楕円形、Ｉ字形または三角形の形状を有し、位置決め開口部２２２は、伸長軸２１７の断面に対応する形状を有することで、摺動子２１８が回転盤２２０を駆動させて回転させることができる。
【００２８】
各々のプッシュロッド２１２は、内側壁に第１係合部２１４および第２係合部２１５をさらに備え、摺動子２１８の蓋部２２１は、一対の第１位置決め部２１９を含み、回転盤２２０は、一対の第２位置決め部２２５を備えている。押圧子２１０が引き上げられると、第１係合部２１４は、まず摺動子２１８の蓋部２２１の第１位置決め部２１９に係合され、摺動子２１８を同時に引き上げる。押圧子２１０がさらに引き上げられると、第２係合部２１５が回転盤の第２位置決め部２２５に係合して、押圧子２１０が減圧装置１００から引き抜かれるのを防止することができる。回転盤２２０は、摺動子２１８が押し下げられて回転盤２２０の上で止まったときに第１位置決め部２１９を受け入れるための受容開口部２２４も有している。
【００２９】
図４に示すように、ピストン組立体２５０は、ピストンカバー２３０およびピストン２３１をさらに備える。ピストンカバー２３０は、蓄圧容器２６０の上に設けられ、図には一つだけが示されている一対のプッシュロッド開口部２３４を有している。ピストン２３１は、蓄圧容器２６０内に設けられている。空気圧貯蔵部１３０は、蓄圧容器２６０の下部に設けられ、蓄圧容器２６０を封止する封止子２８０をさらに含む。これにより、蓄圧容器２６０の封止子２８０とピストン２３１との間に負圧貯蔵区域２６２が形成されている。したがって、図３および図４の双方を参照すると、押圧子２１０のプッシュロッド２１２は、押圧子２１０がピストンスプリング２５６を圧縮するための所定の位置にあるときに、プッシュロッド開口部２３４を通過してピストン組立体２５０のピストン２３１を押すことができ、プッシュロッドの圧縮力が取り除かれた後、ピストンスプリング２５６がピストン２３１の復元力を発生させて蓄圧容器２６０内に負圧を生じさせる。
【００３０】
ピストン組立体２５０は、弾性環状部２５２と固定部２５４とをさらに備え、弾性環状部２５２は、たとえばゴム材料の環状逆止弁などの軟質材料の一方向弁である。
【００３１】
封止子２８０は、負圧創傷被覆材の接続管１５０を接続して負圧創傷被覆材用の負圧を提供しかつ接続管１５０へのガスの逆流を防止するための逆止弁２８２と、負圧創傷被覆材とをさらに備える。
【００３２】
封止子２８０は、蓄圧容器２６０の負圧状態を示す作動表示器２８４をさらに備える。封止子２８０は、作動表示器２８４と蓄圧容器２６０との間に配置されたスプリング２６６をさらに備える。スプリング２６６は弾性力を提供し、この弾性力は、蓄圧容器２６０内に実際に発生する負圧値に応じて設定することができる。空気圧貯蔵部１３０が負圧状態にあるときには、作動表示器２８４は、スプリングの弾性力よりも大きい負圧の吸引力に起因して引き込まれることができる。空気圧貯蔵部１３０が十分な負圧を提供できないときは、作動表示器２８４はハウジング１４０から外方に突出する。したがって、減圧装置１００を視認することなく作動表示器２８４に触れることにより、空気圧貯蔵部１３０が負圧状態にあるかどうかを確認することは、使用者にとって容易である。十分な負圧がなければ、使用者は手動で空気圧貯蔵部１３０を圧縮して再び負圧を発生させることができる。
【００３３】
減圧装置１００は、圧力計モジュール１２０をさらに備える。圧力計モジュール１２０は、固定開口部２４２を有する圧力表示器２４０と、表示部２４４と、弾性部材２４６とを含む。圧力計モジュール１２０の一端は、蓄圧容器２６０の表示器係合部２６８に取り付けられ、蓄圧容器２６０の開口部２６４を通過した圧力計モジュール１２０の他端は、ピストン組立体２５０の固定部２５４に取り付けられる。固定開口部２４２は、ピストン組立体２５０の固定部２５４に係合するために使用され、表示部２４４は、異なる圧力値を示すための複数の異なる色の区域、または圧力情報を示す数値比などの圧力情報が記されている。弾性部材２４６は、これらに限定されるものではないが、たとえば、弾性リングまたはスプリングである。弾性部材２４６は、蓄圧容器２６０の表示器係合部２６８に連結され、ピストン組立体２５０の移動にともなって弾性部材２４６の長さが変化する。ピストンカバー２３０は、圧力計モジュール１２０を露呈させる透明窓２３６をさらに備える。これにより、使用者は、表示部２４４上の異なる複数の色または複数の数値比として表示された情報を、ピストンカバー２３０上の透明窓２３６を介して視認することができ、所望の負圧を提供するために圧縮部１１０を再び操作する時期を決定することを目的として、現在の減圧装置１００によって連続的に提供され得る負圧の容量を容易に認識することができる。
【００３４】
図３、図４および図５を参照すると、回転盤２２０は、弾性突起２２６、回転穴２２７および爪２２８をさらに含む。ピストンカバー２３０は、回転軸２３２と、位置決め環状部２３８と、係合環状部２３９とをさらに備える。回転盤２２０が下方のピストンカバー２３０と係合した後、回転盤２２０の爪２２８がピストンカバー２３０の係合環状部２３９にスナップ嵌めされて使用時に圧縮部１１０を空気圧貯蔵部１３０に強固に係合させる。回転穴２２７が回転軸２３２に連結され、圧縮部１１０を空気圧貯蔵部１３０に対して回転可能にしている。また、弾性突起２２６は、位置決め環状部２３８に形成された凹凸部と協働して、圧縮部１１０が空気圧貯蔵部１３０に対して相対的に回転したときに、圧縮部１１０を適切な位置に正確に位置決め可能にしている。
【００３５】
図６に示すように、ハウジング１４０は、ハウジング本体２７０と、本体下部カバー２７５とを含む。本体下部カバー２７５は、接続管開口部２７６と表示器開口部２７７とを含み、空気圧貯蔵部１３０に接続管１５０を接続可能にされ、表示器開口部２７７によって作動表示器２８４も露出させることができる。
【００３６】
図２Ａから図２Ｃを参照すると、図２Ａから図２Ｃも、減圧装置１００がどのように動作して、蓄圧容器２６０の負圧貯蔵区域２６２に負圧を形成するかを明示している。図２Ｂは、圧縮部１１０が所定の位置に回転されて押し下げられて空気圧貯蔵部１３０を圧縮するときの減圧装置１００の断面透視図である。図２Ｃは、押圧子２１０がハウジング１４０の凹部１６０に戻され、空気圧貯蔵部１３０が起動されたときの減圧装置１００の断面透視図である。
【００３７】
図２Ａに示すように、減圧装置１００はまだ起動されておらず、圧縮部１１０はハウジング１４０に連結されており、ピストンスプリング２５６は弛緩状態にあり、ピストン組立体２５０は蓄圧容器２６０の上部に配置されている。
【００３８】
図２Ｂに示すように、圧縮部１１０とともにピストン組立体２５０のピストン２３１を押して蓄圧容器２６０内の負圧貯蔵区域２６２内の空気を排出するとき、約９０度回転されている圧縮部１１０は、押し下げられてピストン２３１を下方へ移動させ、ピストンスプリング２５６を圧縮する。元から負圧貯蔵区域２６２内にある空気は、矢印３１０によって示された方向を基準として、ピストン組立体２５０の弾性環状部２５２を介してピストン組立体２５０の他方の側に排出される。
【００３９】
図２Ｃに示すように、使用者は、圧縮部１１０を元の収納位置に戻してハウジング１４０に留めることができ、圧縮されたピストンスプリング２５６による弾性力は、負圧貯蔵区域２６２内に負圧を生じさせることで、接続管１５０と逆止弁２８２を介して、矢印３２０で示す方向を基準として、負圧創傷被覆材内の空気を負圧貯蔵区域２６２内へ吸引させる。
【００４０】
本開示は、一または複数の例示および好ましい実施形態に関して記載されているが、本開示はそれに限定されないことを理解されたい。それどころか、様々な変更および同様の配置および手順を網羅することを意図しており、したがって、添付の請求の範囲は、そのような変更および類似の配置および手順をすべて網羅するように最も広い解釈を与えられるべきである。
【符号の説明】
【００４１】
１００  減圧装置
１１０  圧縮部
１２０  圧力計モジュール
１３０  空気圧貯蔵部
１４０  ハウジング
１５０  接続管
１６０  凹部
２１０  押圧子
２１２  プッシュロッド
２１４  第１係合部
２１５  第２係合部
２１６  押圧部
２１７  伸長軸
２１８  摺動子
２１９  第１位置決め部
２２０  回転盤
２２１  蓋部
２２５  第２位置決め部
２３０  ピストンカバー
２３１  ピストン
２３４  プッシュロッド開口部
２３６  透明窓
２５０  ピストン組立体
２５６  ピストンスプリング
２６０  蓄圧容器
２８０  封止子
２８２  逆止弁
２８４  作動表示器
【図１Ａ】
0003216282.tif 000003
【図１Ｂ】
0003216282.tif 000004
【図１Ｃ】
0003216282.tif 000005
【図１Ｄ】
0003216282.tif 000006
【図２Ａ】
0003216282.tif 000007
【図２Ｂ】
0003216282.tif 000008
【図２Ｃ】
0003216282.tif 000009
【図３】
0003216282.tif 000010
【図４】
0003216282.tif 000011
【図５】
0003216282.tif 000012
【図６】
0003216282.tif 000013